(57)【要約】【課題】充電可能なバッテリパックを電源とする電気機器を落下させたときのバッテリパックの定置側の保護を図ること。【解決手段】充電可能なバッテリパック４０を電源とする電気機器１におけるバッテリパック４０の定置側には、ベース体７０が設けられている。【選択図】図１
2018178874.tif 000002
【特許請求の範囲】
【請求項１】
充電可能なバッテリパックを電源とする電気機器であって、
前記バッテリパックの定置側には、ベース体が設けられている電気機器。
【請求項２】
請求項１に記載の電気機器であって、
電気機器本体を定置面に定置可能な本体プレートが設けられており、
前記ベース体は、前記本体プレートから張り出して成る電気機器。
【請求項３】
請求項１〜２のいずれかに記載の電気機器であって、
前記バッテリパックの両側には、一対のサイド体が設けられている電気機器。
【請求項４】
請求項３に記載の電気機器であって、
前記一対のサイド体には、前記電気機器本体を定置面に縦置き可能な縦置部が形成されている電気機器。
【請求項５】
請求項３〜４のいずれかに記載の電気機器であって、
電気機器自身を多段積み可能となっており、
前記多段積み状態における下側の電気機器の一対のサイド体の各先端部が前記多段積み状態における上側の電気機器のベース体の両縁に形成されているフランジの間に嵌合可能となっている電気機器。
【請求項６】
請求項３〜５のいずれかに記載の電気機器であって、
ホースが設けられており、
前記サイド体には、前記ホースを巻き付け可能な括れ部が形成されている電気機器。
【請求項７】
請求項１〜６のいずれかに記載の電気機器であって、
前記電気機器本体は、真空ポンプであり、
前記バッテリパックは、出力電圧がＤＣ１８Ｖのリチウムイオンのバッテリから構成されている電気機器。
【請求項８】
請求項１〜７のいずれかに記載の電気機器であって、
前記バッテリパックは、複数個並設されている電気機器。
【請求項９】
真空ポンプであって、電動工具用バッテリが取り付け可能なバッテリ取付部を複数有する真空ポンプ。
【請求項１０】
請求項９に記載の真空ポンプであって、
２つの前記バッテリ取付部と、前記バッテリ取付部のそれぞれに取り付けられた、２つのバッテリパックを有する真空ポンプ。
【発明の詳細な説明】
【技術分野】
【０００１】
この発明は、電気機器に関し、詳しくは、充電可能なバッテリパックを電源とする電気機器および真空ポンプに関する。
【背景技術】
【０００２】
従来より、充電可能なバッテリパックを電源とする手持式の電気機器が既に知られている。このような電気機器として、例えば、充電式のドライバドリル、充電式のドリル、充電式のインパクトドライバ等の電動工具が知られている。ここで、下記特許文献１には、バッテリパック１４０を保護するバッテリプロテクタ１０３を装着した電動工具１０１が開示されている（図１４参照）。これにより、例えば、手持ちしている電動工具１０１を誤って落としてしまっても、バッテリパック１４０が損傷することを防止できる。
【先行技術文献】
【特許文献】
【０００３】
【特許文献１】特許第５０１６８６５号公報
【発明の概要】
【発明が解決しようとする課題】
【０００４】
しかしながら、上述した特許文献１の技術では、手持式の電動工具１０１（電気機器）のバッテリパック１４０を保護の対象物としていた。そのため、定置式の電気機器のバッテリパックを保護の対象物としていなかった。したがって、この定置式の電気機器を運搬中に誤って落としてしまうと、バッテリパックの定置側（下側）を損傷させてしまうことがあった。
【０００５】
本発明は、このような課題を解決しようとするもので、その目的は、充電可能なバッテリパックを電源とする電気機器を落下させたときのバッテリパックの定置側の保護を図ることである。
【課題を解決するための手段】
【０００６】
上記の課題は、以下の各発明により解決される。第１の発明は、充電可能なバッテリパックを電源とする電気機器である。バッテリパックの定置側には、ベース体が設けられている。
【０００７】
第１の発明によれば、電気機器を運搬中に誤って落下させると、ベース体が床フロアに接触することとなる。したがって、バッテリパックが床フロアに接触することがないため、このバッテリパックの損傷を防ぐことができる。結果として、このバッテリパックの定置側（下側）を保護できる。
【０００８】
第２の発明は、第１の発明に記載の電気機器であって、電気機器本体を定置面に定置可能な本体プレートが設けられている。ベース体は、本体プレートから張り出して成っている。
【０００９】
第２の発明によれば、本体プレートとベース体とが一体を成すため、これら本体プレートとベース体とを個別に設ける必要がない。したがって、電気機器の構成を簡素化できる。
【００１０】
第３の発明は、第１の発明〜第２の発明のいずれかに記載の電気機器であって、バッテリパックの両側には、一対のサイド体が設けられている。
【００１１】
第３の発明によれば、バッテリパックの横側を保護できる。
【００１２】
第４の発明は、第３の発明に記載の電気機器であって、一対のサイド体には、電気機器本体を定置面に縦置き可能な縦置部が形成されている。
【００１３】
第４の発明によれば、電気機器本体を定置面に縦置きできる。
【００１４】
第５の発明は、第３の発明〜第４の発明のいずれかに記載の電気機器であって、電気機器自身を多段積み可能となっている。多段積み状態における下側の電気機器の一対のサイド体の各先端部は、多段積み状態における上側の電気機器のベース体の両縁に形成されているフランジの間に嵌合可能となっている。
【００１５】
第５の発明によれば、この多段積み状態における電気機器の積みの安定度合いを高めることができる。
【００１６】
第６の発明は、第３の発明〜第５の発明のいずれかに記載の電気機器であって、ホースが設けられている。サイド体には、ホースを巻き付け可能な括れ部が形成されている。
【００１７】
第６の発明によれば、電気機器を使用しないときのホースを巻き付けることができる。したがって、ホースがバラついて邪魔になることを防止できる。
【００１８】
第７の発明は、第１の発明〜第６の発明のいずれかに記載の電気機器であって、電気機器本体は、真空ポンプである。バッテリパックは、出力電圧がＤＣ１８Ｖのリチウムイオンのバッテリから構成されている。
【００１９】
第７の発明によれば、公知のバッテリパックを使用できる。
【００２０】
第８の発明は、第１の発明〜第７の発明のいずれかに記載の電気機器であって、バッテリパックは、複数個並設されている。
【００２１】
第８の発明によれば、例えば、複数個のバッテリパックを電気的に並列に接続できる。したがって、バッテリパックが１個の場合と比較すると、バッテリの容量が複数倍になるため、長時間の作業に対応できる。
【００２２】
第９の発明は、電動工具用バッテリが取り付け可能なバッテリ取付部を複数有する真空ポンプである。
【００２３】
第９の発明によれば、電動工具用バッテリが取り付け可能なバッテリ取付部を複数有する真空ポンプを提供できる。
【００２４】
第１０の発明は、請求項９に記載の真空ポンプであって、２つの前記バッテリ取付部と、前記バッテリ取付部のそれぞれに取り付けられた、２つのバッテリパックを有している。
【００２５】
第１０の発明によれば、２つの前記バッテリ取付部と、前記バッテリ取付部のそれぞれに取り付けられた、２つのバッテリパックを有した真空ポンプを提供できる。
【図面の簡単な説明】
【００２６】
【図１】実施例に係る定置式の真空ポンプの斜視図である。
【図２】図１を下側から見た斜視図である。
【図３】図１の分解図である。
【図４】図３の補助部材の分解図である。
【図５】図１の平面図である。
【図６】図１の底面図である。
【図７】図１の正面図である。
【図８】図１の背面図である。
【図９】図１の左側面図である。
【図１０】図１の右側面図である。
【図１１】図１の真空ポンプを縦置きした状態を示す図である。
【図１２】図１の真空ポンプを２段積みした状態を示す図である。
【図１３】図１３の正面図である。
【図１４】従来技術に係る電気機器（電動工具）の斜視図である。
【発明を実施するための形態】
【００２７】
以下、本発明を実施するための形態を、図１〜１０を用いて説明する。なお、「電気機器」の例として、「定置式の真空ポンプ１」を説明することとする。ただし、定置式としたが、使用が定置状態とのことであり、移動は持って移動できる、いわゆる、可搬式でもある。
【００２８】
この定置式の真空ポンプ１（以下、単に「真空ポンプ１」と記す）は、図１〜２に示されるように、主として、真空ポンプ本体２と、補助部材３とから構成されている。以下に、これら真空ポンプ本体２と補助部材３とを個別に説明する。また、以下の説明にあたって、上、下、前、後、左、右とは、図面に付した上、下、前、後、左、右を示すこととする。
【００２９】
まず、真空ポンプ本体２から説明する（図１〜３、５〜１０参照）。この真空ポンプ本体２は、円筒状のモータハウジング１０と、このモータハウジング１０に内蔵されたＤＣモータの負荷側の開口（いずれも図示しない）を覆うように４本の第１のボルトＢ１を介して組み付けられたポンプハウジング２０と、このモータハウジング１０に内蔵されたＤＣモータの反負荷側の開口（図示しない）を覆うように組み付けられたバッテリ取付部３０とから構成されている。
【００３０】
このモータハウジング１０の内部には、上述したようにＤＣモータが組み付けられている。また、このモータハウジング１０の上側には、真空ポンプ１を作業者（図示しない）が持ち運びするための略Ｌ字状のハンドル１２が取り付けられている。また、このモータハウジング１０の上側には、後述するベーンポンプ（図示しない）が真空引き動作するためのホース１４の一端１４ａを接続する接続口１６が設けられている。
【００３１】
また、このポンプハウジング２０の内部には、上述したＤＣモータを駆動源とするベーンポンプが組み付けられている。このベーンポンプとＤＣモータとは、機械的に連結されている。そのため、後述するようにＤＣモータが駆動すると、ベーンポンプが動作することとなる。したがって、ホース１４の他端１４ｂから真空引き動作できる（エアを引くことができる）。
【００３２】
例えば、このホース１４の他端１４ｂをエアコンの配管（いずれも図示しない）に接続すると、この配管の内部を略真空の状態にできる。そのため、この略真空の状態にした配管の内部にエアコンの冷媒を注入できる。また、このポンプハウジング２０の上側には、内部をメンテナンスするためのキャップ２２が着脱可能に組み付けられている。
【００３３】
また、このバッテリ取付部３０には、２個のバッテリパック４０が並ぶ格好で着脱可能に組み付けられている。この着脱は、バッテリ取付部３０に対するバッテリパック４０の上下方向のスライド（バッテリパック４０の装着時は、上側から下側へ向けてのスライド、バッテリパック４０の取り外し時は、下側から上側へ向けてのスライド）と、ロック機構（図示しない）のロック・アンロックとによって行われるものである。なお、このバッテリパック４０は、出力電圧がＤＣ１８Ｖのリチウムイオンの充電可能なバッテリ（図示しない）から構成されている。そして、この２個のバッテリパック４０は、電気的に並列に接続して使用されている。
【００３４】
この２個のバッテリパック４０とＤＣモータとは、バッテリ取付部３０を介して電気的に接続されている。そのため、２個のバッテリパック４０からスイッチ３２を介してＤＣモータに給電されると、この給電されたＤＣモータが駆動することとなる。また、このバッテリ取付部３０の左側と右側とには、後述する第２のボルトＢ２を螺合可能なボス３４がそれぞれ形成されている。
【００３５】
これらモータハウジング１０と、ポンプハウジング２０と、バッテリ取付部３０とから真空ポンプ本体２は構成されている。
【００３６】
次に、補助部材３を説明する。この補助部材３は、定置プレート５０と、左右一対のサイド体８０とから構成されている（図３〜１０参照）。この定置プレート５０は、上述した真空ポンプ本体２の長手方向に沿う略矩形状の本体プレート６０と、この本体プレート６０の前側から略六角形状に張り出すベース体７０とが一体を成すように金属製の部材（例えば、鉄）から構成されている。
【００３７】
この本体プレート６０は、平面視において、上述したモータハウジング１０とポンプハウジング２０の定置側（下側）を覆うサイズに形成されている。これにより、真空ポンプ本体２を床フロアに定置することができる（定置機能）。また、これにより、これらモータハウジング１０とポンプハウジング２０の定置側（下側）を保護できる（保護機能）。
【００３８】
一方、このベース体７０も、平面視において、２個のバッテリパック４０の定置側（下側）を覆うサイズに形成されている。これにより、この２個のバッテリパック４０の定置側（下側）を保護できる（保護機能）。すなわち、定置プレート５０は、真空ポンプ本体２を床フロアに定置する定置機能と、この真空ポンプ本体２の定置側（下側）を保護する保護機能とを兼ね添えたものとなっている。
【００３９】
また、この本体プレート６０には、平面視において、上述したモータハウジング１０のハンドル１２に対応する位置に長孔状の貫通孔６２が形成されている。また、このベース体７０には、左右方向に沿って並設されたビード７２が３個形成されている。これにより、このベース体７０そのものの強度を高めることができる。そのため、２個のバッテリパック４０の保護性能を高めることができる。
【００４０】
また、このベース体７０の左側と右側には、後述する左右一対のサイド体８０を取り付けるための取付孔７４が２個ずつ形成されている。また、この定置プレート５０の全縁には、下側に向けて折り曲げられた格好を成すフランジ５２が形成されている。この定置プレート５０の本体プレート６０におけるフランジ５２の左右方向の内径を「Ｌ１」と記すこととする（図６参照）。
【００４１】
また、この定置プレート５０の底面における四隅（前左隅、前右隅、後左隅、後右隅）には、下側に向けて突出する脚５４が形成されている。この各脚５４の先端には、クッション性を有するゴム製のキャップ５４ａが嵌め込まれている。これにより、真空ポンプ本体２を床フロアに置くときの衝撃を吸収できる。定置プレート５０は、このように構成されている。
【００４２】
一方、左右一対のサイド体８０のうち、左側のサイド体８０は、板状の金属製の部材（例えば、鉄）から構成されている。この左側のサイド体８０は、左側面視において、上述した左側のバッテリパック４０の横側（左側）を覆うサイズに形成されている。これにより、この左側のバッテリパック４０の横側（左側）を保護できる。なお、左右一対のサイド体８０のうち、右側のサイド体８０は、この左側のサイド体８０に対して左右対称のため、この左側のサイド体８０を説明することで右側のサイド体８０の詳細な説明は省略することとする。
【００４３】
この左側のサイド体８０の上側には、前後方向において先細りを成す先細部８２が形成されている。また、この左側のサイド体８０の下側には、ホース１４を巻き付け可能な括れ８４ａを有する括れ部８４が形成されている。また、この左側のサイド体８０の前側には、前方に向かって張り出す縦置部８６が形成されている。また、この左側のサイド体８０の下側には、右側に向かって張り出す張出部８８が形成されている。
【００４４】
この張出部８８には、ベース体７０の左側に形成されている２個の取付孔７４に対応するように２個の取付孔８８ａが形成されている。また、この左側のサイド体８０の後側には、後述するクランプ９０を取り付け可能な取付孔８０ａが形成されている。このクランプ９０には、ホース１４の他端１４ｂを挟持可能なＵ字状の挟持部９０ａが形成されている。左右一対のサイド体８０は、このように構成されている。
【００４５】
そして、このように構成されている左側のサイド体８０の張出部８８の各取付孔８８ａにそれぞれ第２のボルトＢ２を挿し込み、このそれぞれ挿し込んだ第２のボルトＢ２をそれぞれベース体７０の各取付孔７４に螺合させる作業を行う。この作業により、定置プレート５０に左側のサイド体８０が組み付けられる。
【００４６】
これと同じ作業を、右側のサイド体８０においても行う。この作業により、定置プレート５０に右側のサイド体８０が組み付けられる。補助部材３は、このようにして組み立てられている。この補助部材３の左右一対のサイド体８０の外径を「Ｌ２」と記すこととする（図５参照）。なお、この左右一対のサイド体８０の外径「Ｌ２」は、フランジ５２の左右方向の内径「Ｌ１」と略同一または僅かに短く設定されている。
【００４７】
また、このように組み立てられた補助部材３の左側のサイド体８０の取付孔８０ａと左側のクランプ９０の取付孔９０ｂとの順に第３のボルトＢ３を挿し込み、この挿し込んだ第３のボルトＢ３を真空ポンプ本体２のバッテリ取付部３０の左側のボス３４に螺合させる作業を行う。これと同じ作業を、右側のサイド体８０においても行う。これらの作業により、真空ポンプ本体２に補助部材３が組み付けられる。真空ポンプ１は、このようにして組み立てられている。このようにして組み立てられると、図１からも明らかなように、左右一対のサイド体８０により、２個のバッテリパック４０の横側（左側と右側）を保護できる（保護機能）。
【００４８】
本発明の実施例に係る真空ポンプ１は、上述したように構成されている。この構成によれば、２個のバッテリパック４０の定置側（下側）は、ベース体７０によって覆われている。そのため、この真空ポンプ１を運搬中に誤って落下させると、ベース体７０が床フロアに接触することとなる。したがって、これら２個のバッテリパック４０が床フロアに接触することがないため、これら２個のバッテリパック４０の損傷を防ぐことができる。結果として、これら２個のバッテリパック４０の定置側（下側）を保護できる。
【００４９】
また、この構成によれば、真空ポンプ本体２の定置側（下側）は、床フロアに定置可能な本体プレート６０によって覆われている。そして、ベース体７０は、本体プレート６０の前側から張り出すように一体的に形成されている。そのため、本体プレート６０とベース体７０とを個別に設ける必要がない。したがって、真空ポンプ１の構成を簡素化できる。
【００５０】
また、この構成によれば、バッテリパック４０の横側（左側と右側）は、左右一対のサイド体８０によって覆われている。そのため、この２個のバッテリパック４０の横側（左側と右側）を保護できる。
【００５１】
また、この構成によれば、左右一対のサイド体８０の前側には、前方に向かって張り出す縦置部８６が形成されている。そのため、真空ポンプ本体２を床フロアに縦置きできる。
【００５２】
また、この構成によれば、左右一対のサイド体８０の下側には、ホース１４を巻き付け可能な括れ８４ａを有する括れ部８４が形成されている。そのため、真空ポンプ１を使用しないときのホース１４を巻き付けることができる。したがって、ホース１４がバラついて邪魔になることを防止できる。
【００５３】
また、この構成によれば、真空ポンプ１のバッテリパック４０は、出力電圧がＤＣ１８Ｖのリチウムイオンの充電可能なバッテリ（図示しない）から構成されている。そのため、公知のバッテリパックを使用できる。
【００５４】
また、この構成によれば、２個のバッテリパック４０が並ぶ格好で組み付けられている。そのため、この２個のバッテリパック４０を電気的に並列に接続できる。したがって、バッテリパック４０が１個の場合と比較すると、バッテリの容量が２倍になるため、長時間の作業に対応できる。
【００５５】
上述した内容は、あくまでも本発明の一実施の形態に関するものであって、本発明が上記内容に限定されることを意味するものではない。
【００５６】
実施例では、「電気機器」の例として、「定置式の真空ポンプ１」を説明した。しかし、これに限定されるものでなく、「定置式のコンプレッサ」、「定置式の集塵機」、「定置式の照明装置」、「定置式の扇風機」等であっても構わない。すなわち、定置式の電気機器であれば、どのようなタイプの機器であっても構わない。
【００５７】
また、実施例では、「真空ポンプ１」の例として、「ベーンポンプ」を説明した。しかし、これに限定されるものでなく、真空引き動作できるなら、どのようなタイプのポンプであっても構わない。
【００５８】
また、実施例では、「定置面」の例として、「床フロア」を説明した。しかし、これに限定されるものでなく、「机や台のデスク面、棚等の載置面等」であっても構わない。
【００５９】
また、実施例では、補助部材３は、定置プレート５０（本体プレート６０とベース体７０）と、左右一対のサイド体８０とから構成されている形態を説明した。しかし、これに限定されるものでなく、補助部材３は、左右一対のサイド体８０を備えることなく、定置プレート５０のみから構成されていても構わない。その場合、定置プレート５０は、真空ポンプ本体２に組み付けられることとなる。
【００６０】
また、実施例では、補助部材３は、定置プレート５０（本体プレート６０とベース体７０）と、左右一対のサイド体８０とから構成されている形態を説明した。しかし、これに限定されるものでなく、補助部材３は、定置プレート５０の本体プレート６０と左右一対のサイド体８０とを備えることなく、定置プレート５０のベース体７０のみから構成されていても構わない。その場合、定置プレート５０のベース体７０は、真空ポンプ本体２に組み付けられることとなる。
【００６１】
また、実施例では、補助部材３は、定置プレート５０（本体プレート６０とベース体７０）と、左右一対のサイド体８０とから構成されている形態を説明した。しかし、これに限定されるものでなく、補助部材３は、定置プレート５０の本体プレート６０を備えることなく、定置プレート５０のベース体７０と左右一対のサイド体８０とのみから構成されていても構わない。その場合、実施例と同様に、定置プレート５０のベース体７０は、左右一対のサイド体８０を介して真空ポンプ本体２に組み付けられることとなる。
【００６２】
また、実施例では、ベース体７０は、本体プレート６０の前側から張り出す形態を説明した。しかし、これに限定されるものでなく、ベース体７０は、本体プレート６０の前側から張り出すことなく、本体プレート６０に対して独立して（別の部材として）設けられていても構わない。
【００６３】
また、実施例では、バッテリパック４０は、出力電圧がＤＣ１８Ｖのリチウムイオンの充電可能なバッテリから構成されている形態を説明した。しかし、これに限定されるものでなく、出力電圧は何Ｖであっても構わない。また、リチウムイオンに限定されることなく各種の素材から成るバッテリであっても構わない。
【００６４】
また、実施例では、２個のバッテリパック４０が並ぶ形態を説明した。しかし、これに限定されるものでなく、並びの数は、３個でも４個でも、複数個であれば、何個であっても構わない。
【００６５】
なお、図１１に示すように、真空ポンプ１は床フロアに縦置きも可能となっている。その場合、定置プレート５０のベース体７０の前縁と、左右一対のサイド体８０の縦置部８６とが床フロアに対して真空ポンプ１を支持することとなる。
【００６６】
また、図１２に示すように、真空ポンプ１は多段（例えば、２段）積み可能となっている。そして、上述したように、この左右一対のサイド体８０の外径「Ｌ２」は、フランジ５２の左右方向の内径「Ｌ１」と略同一または僅かに短く設定されているため、多段積み状態における下側の真空ポンプ１の一対のサイド体８０の各先細部８２が多段積み状態における上側の真空ポンプ１のベース体７０の左右の縁に形成されているフランジ５２の間に嵌合可能となっている（図１３参照）。そのため、この多段積み状態における上側の真空ポンプ１の積みの安定度合いを高めることができる。また、このように多段積み状態にすると、下側の真空ポンプ１のハンドル１２が多段積み状態における上側の真空ポンプ１の本体プレート６０の貫通孔６２に入り込むこととなっている。そのため、この段積み状態の高さ方向の嵩張りを抑えることができる。
【００６７】
また、実施例では、２個のバッテリパック４０は、電気的に並列に接続して使用されている形態を説明した。しかし、これに限定されるものでなく、２個のバッテリパック４０は、電気的に直列に接続して使用されている形態でも構わない。その場合、バッテリパック４０が１個の場合と比較すると、バッテリパック４０からの出力電圧を２倍にできる。したがって、ＤＣモータの電圧も２倍にできるため、大きな負荷にも対応できる。
【００６８】
また、実施例では、定置プレート５０は、金属製の部材（例えば、鉄）から構成されている形態を説明した。しかし、この金属製の部材に限定されるものでなく、これと同程度またはそれ以上の強度を備えていれば、どんな素材から成っていても構わない。このことは、左右のサイド体８０においても同様である。
【符号の説明】
【００６９】
１      真空ポンプ（電気機器）
２      真空ポンプ本体
３      補助部材
１０    モータハウジング
１２    ハンドル
１４    ホース
１４ａ  一端
１４ｂ  他端
１６    接続口
２０    ポンプハウジング
２２    キャップ
３０    バッテリ取付部
３２    スイッチ
３４    ボス
４０    バッテリパック
５０    定置プレート
５２    フランジ
５４    脚
５４ａ  キャップ
６０    本体プレート
６２    貫通孔
７０    ベース体
７２    ビード
７４    取付孔
８０    サイド体
８０ａ  取付孔
８２    先細部
８４    括れ部
８４ａ  括れ
８６    縦置部
８８    張出部
８８ａ  取付孔
９０    クランプ
９０ａ  挟持部
９０ｂ  取付孔
Ｂ１    第１のボルト
Ｂ２    第２のボルト
Ｂ３    第３のボルト
Ｌ１    内径
Ｌ２    外径
【図１】
2018178874.tif 000003
【図２】
2018178874.tif 000004
【図３】
2018178874.tif 000005
【図４】
2018178874.tif 000006
【図５】
2018178874.tif 000007
【図６】
2018178874.tif 000008
【図７】
2018178874.tif 000009
【図８】
2018178874.tif 000010
【図９】
2018178874.tif 000011
【図１０】
2018178874.tif 000012
【図１１】
2018178874.tif 000013
【図１２】
2018178874.tif 000014
【図１３】
2018178874.tif 000015
【図１４】
2018178874.tif 000016